【手続補正書】
【提出日】平成26年6月17日(2014.6.17)
【手続補正１】
【補正対象書類名】明細書
【補正対象項目名】発明の名称
【補正方法】変更
【補正の内容】
【発明の名称】帳票システムとサーバと情報処理装置と、その処理方法及びプログラム。
【手続補正２】
【補正対象書類名】明細書
【補正対象項目名】０００１
【補正方法】変更
【補正の内容】
【０００１】
帳票データを検索する帳票システムとサーバと情報処理装置と、その処理方法及びプログラムに関する。
【手続補正３】
【補正対象書類名】明細書
【補正対象項目名】００１０
【補正方法】変更
【補正の内容】
【００１０】
そこで、本発明は、帳票データの検索条件設定の負荷を軽減し、帳票検索をし易くする仕組みを提供することである。
【手続補正４】
【補正対象書類名】明細書
【補正対象項目名】００１１
【補正方法】変更
【補正の内容】
【００１１】
本発明の目的を達成するために、帳票データを表示する情報処理装置と、帳票データと検索領域となる帳票データに対して予め設定された領域の位置を特定する領域情報と領域を識別する領域識別情報とを管理するサーバとが通信可能に接続されている帳票システムであって、前記情報処理装置は、ユーザによる操作に応じて、表示されている帳票データにおける検索領域とする領域を指定する領域指定手段と、前記領域指定手段で指定された領域の位置を特定する領域情報を送信する第１の送信手段と、前記第１の送信手段による領域情報に従って、前記サーバから当該領域情報に対応する前記予め設定された領域の領域識別情報を受信する第２の受信手段と、検索条件として、前記第２の受信手段で受信した領域識別情報と検索するキーとなるデータを設定する設定手段と、前記設定手段で設定された領域識別情報とデータを含む検索条件を前記サーバに送信する第３の送信手段とを備え、前記サーバは、前記情報処理装置から前記領域情報を受信する第１の受信手段と、前記第１の受信手段で受信した前記領域情報に対応する、予め設定された領域の領域情報がある場合に、当該予め設定された領域の領域識別情報を前記情報処理装置に送信する第２の送信手段と、前記情報処理装置から検索条件を受信する第３の受信手段と、前記第３の受信手段で受信した検索条件に含まれる領域識別情報とデータに従って、前記帳票データを検索する帳票検索手段とを備えることを特徴とする。
【手続補正５】
【補正対象書類名】明細書
【補正対象項目名】００１２
【補正方法】変更
【補正の内容】
【００１２】
本発明によれば、帳票データの検索条件設定の負荷を軽減し、帳票検索がし易くなる。
【手続補正６】
【補正対象書類名】特許請求の範囲
【補正対象項目名】全文
【補正方法】変更
【補正の内容】
【特許請求の範囲】
【請求項１】
帳票データを表示する情報処理装置と、帳票データと検索領域となる帳票データに対して予め設定された領域の位置を特定する領域情報と領域を識別する領域識別情報とを管理するサーバとが通信可能に接続されている帳票システムであって、
前記情報処理装置は、
ユーザによる操作に応じて、表示されている帳票データにおける検索領域とする領域を指定する領域指定手段と、
前記領域指定手段で指定された領域の位置を特定する領域情報を送信する第１の送信手段と、
前記第１の送信手段による領域情報に従って、前記サーバから当該領域情報に対応する前記予め設定された領域の領域識別情報を受信する第２の受信手段と、
検索条件として、前記第２の受信手段で受信した領域識別情報と検索するキーとなるデータを設定する設定手段と、
前記設定手段で設定された領域識別情報とデータを含む検索条件を前記サーバに送信する第３の送信手段と
を備え、
前記サーバは、
前記情報処理装置から前記領域情報を受信する第１の受信手段と、
前記第１の受信手段で受信した前記領域情報に対応する、予め設定された領域の領域情報がある場合に、当該予め設定された領域の領域識別情報を前記情報処理装置に送信する第２の送信手段と、
前記情報処理装置から検索条件を受信する第３の受信手段と、
前記第３の受信手段で受信した検索条件に含まれる領域識別情報とデータに従って、前記帳票データを検索する帳票検索手段と
を備えることを特徴とする帳票システム。
【請求項２】
前記情報処理装置は、
前記領域指定手段で指定された領域に従って、前記帳票データから検索するキーとなるデータを取得するデータ取得手段を更に備え、
前記設定手段は、検索条件として、前記データ取得手段で取得した検索するキーとなるデータを設定することを特徴とする請求項１に記載の帳票システム。
【請求項３】
前記情報処理装置は、
前記表示された帳票データから他の帳票を検索するための指定をする関連帳票検索指定手段を更に備え、
前記第１の送信手段は、前記関連帳票検索指定手段で他の帳票を検索するための指定がなされた場合に、前記領域指定手段で指定された領域の領域情報を送信することを特徴とする請求項１又は２に記載の帳票システム。
【請求項４】
前記サーバは、
予め設定された領域の領域情報がない場合に、前記情報処理装置に対応する領域がないことを示す情報を送信する第４の送信手段を更に備え、
前記情報処理装置は、
前記サーバから、対応する領域がないことを示す情報を受信する第４の受信手段と、
前記第４の受信手段で受信した情報に従って、対応する領域がない旨の通知をする通知手段と
を更に備えることを特徴とする請求項１乃至３のいずれか１項に記載の帳票システム。
【請求項５】
前記第１の送信手段は、表示されている帳票データの帳票識別情報を送信し、
前記第１の受信手段は、前記領域指定手段で指定された領域の領域情報に加え前記帳票識別情報を受信し、
前記第１の受信手段で受信した帳票識別情報に従って、当該帳票識別情報の帳票データに設定されている領域情報と、前記第１の受信手段で受信した領域情報と一致し、且つ一致した領域情報と同じ領域情報が他の帳票データに設定されているか否かを判定する領域判定手段を更に備え、
前記第２の送信手段は、前記領域判定手段により、前記領域情報が他の帳票データに設定されていると判定される場合に、予め設定された領域の領域識別情報を前記情報処理装置に送信する
ことを特徴とする請求項１乃至４のいずれか１項に記載の帳票システム。
【請求項６】
帳票データを表示する情報処理装置と通信可能な、帳票データと検索領域となる帳票データに対して予め設定された領域の位置を特定する領域情報と領域を識別する領域識別情報とを管理するサーバであって、
前記情報処理装置で指定された領域の位置を特定する領域情報を受信する領域情報受信手段と、
前記受信手段で受信した前記領域情報に対応する、予め設定された領域の領域情報がある場合に、当該予め設定された領域の領域識別情報を前記情報処理装置に送信する領域識別情報送信手段と、
前記情報処理装置から検索条件を受信する検索条件受信手段と、
前記検索条件受信手段で受信した検索条件に含まれる領域識別情報とデータに従って、前記帳票データを検索する帳票検索手段と
を備えることを特徴とするサーバ。
【請求項７】
帳票データと検索領域となる帳票データに対して予め設定された領域の位置を特定する領域情報と領域を識別する領域識別情報とを管理するサーバと通信可能な、帳票データを表示する情報処理装置であって、
ユーザによる操作に応じて、表示されている帳票データにおける検索領域とする領域を指定する領域指定手段と、
前記領域指定手段で指定された領域の位置を特定する領域情報に従って特定される、前記サーバから受信した当該領域情報に対応する前記予め設定された領域の領域識別情報と検索するキーとなるデータを、検索条件として設定する設定手段と、
前記設定手段で設定された領域識別情報とデータを含む検索条件に従って、前記帳票データを検索する帳票検索手段と
を備えることを特徴とする情報処理装置。
【請求項８】
帳票データを表示する情報処理装置と、帳票データと検索領域となる帳票データに対して予め設定された領域の位置を特定する領域情報と領域を識別する領域識別情報とを管理するサーバとが通信可能に接続されている帳票システムの処理方法であって、
前記情報処理装置が、
ユーザによる操作に応じて、表示されている帳票データにおける検索領域とする領域を指定する領域指定ステップと、
前記領域指定ステップで指定された領域の位置を特定する領域情報を送信する第１の送信ステップと、
前記第１の送信ステップによる領域情報に従って、前記サーバから当該領域情報に対応する前記予め設定された領域の領域識別情報を受信する第２の受信ステップと、
検索条件として、前記第２の受信ステップで受信した領域識別情報と検索するキーとなるデータを設定する設定ステップと、
前記設定ステップで設定された領域識別情報とデータを含む検索条件を前記サーバに送信する第３の送信ステップと
を実行し、
前記サーバが、
前記情報処理装置から前記領域情報を受信する第１の受信ステップと、
前記第１の受信ステップで受信した前記領域情報に対応する、予め設定された領域の領域情報がある場合に、当該予め設定された領域の領域識別情報を前記情報処理装置に送信する第２の送信ステップと、
前記情報処理装置から検索条件を受信する第３の受信ステップと、
前記第３の受信ステップで受信した検索条件に含まれる領域識別情報とデータに従って、前記帳票データを検索する帳票検索ステップと
を実行することを特徴とする処理方法。
【請求項９】
帳票データを表示する情報処理装置と通信可能な、帳票データと検索領域となる帳票データに対して予め設定された領域の位置を特定する領域情報と領域を識別する領域識別情報とを管理するサーバの処理方法であって、
前記サーバが、
前記情報処理装置で指定された領域の位置を特定する領域情報を受信する領域情報受信ステップと、
前記受信ステップで受信した前記領域情報に対応する、予め設定された領域の領域情報がある場合に、当該予め設定された領域の領域識別情報を前記情報処理装置に送信する領域識別情報送信ステップと、
前記情報処理装置から検索条件を受信する検索条件受信ステップと、
前記検索条件受信ステップで受信した検索条件に含まれる領域識別情報とデータに従って、前記帳票データを検索する帳票検索ステップと
を実行することを特徴とする処理方法。
【請求項１０】
帳票データと検索領域となる帳票データに対して予め設定された領域の位置を特定する領域情報と領域を識別する領域識別情報とを管理するサーバと通信可能な、帳票データを表示する情報処理装置の処理方法であって、
前記情報処理装置が、
ユーザによる操作に応じて、表示されている帳票データにおける検索領域とする領域を指定する領域指定ステップと、
前記領域指定ステップで指定された領域の位置を特定する領域情報に従って特定される、前記サーバから受信した当該領域情報に対応する前記予め設定された領域の領域識別情報と検索するキーとなるデータを、検索条件として設定する設定ステップと、
前記設定ステップで設定された領域識別情報とデータを含む検索条件に従って、前記帳票データを検索する帳票検索ステップと
を実行することを特徴とする処理方法。
【請求項１１】
帳票データを表示する情報処理装置と、帳票データと検索領域となる帳票データに対して予め設定された領域の位置を特定する領域情報と領域を識別する領域識別情報とを管理するサーバとが通信可能に接続されている帳票システムで実行可能なプログラムであって、
前記情報処理装置を、
ユーザによる操作に応じて、表示されている帳票データにおける検索領域とする領域を指定する領域指定手段と、
前記領域指定手段で指定された領域の位置を特定する領域情報を送信する第１の送信手段と、
前記第１の送信手段による領域情報に従って、前記サーバから当該領域情報に対応する前記予め設定された領域の領域識別情報を受信する第２の受信手段と、
検索条件として、前記第２の受信手段で受信した領域識別情報と検索するキーとなるデータを設定する設定手段と、
前記設定手段で設定された領域識別情報とデータを含む検索条件を前記サーバに送信する第３の送信手段
として機能させ、
前記サーバを、
前記情報処理装置から前記領域情報を受信する第１の受信手段と、
前記第１の受信手段で受信した前記領域情報に対応する、予め設定された領域の領域情報がある場合に、当該予め設定された領域の領域識別情報を前記情報処理装置に送信する第２の送信手段と、
前記情報処理装置から検索条件を受信する第３の受信手段と、
前記第３の受信手段で受信した検索条件に含まれる領域識別情報とデータに従って、前記帳票データを検索する帳票検索手段
として機能させることを特徴とするプログラム。
【請求項１２】
帳票データを表示する情報処理装置と通信可能な、帳票データと検索領域となる帳票データに対して予め設定された領域の位置を特定する領域情報と領域を識別する領域識別情報とを管理するサーバで実行可能なプログラムであって、
前記サーバを、
前記情報処理装置で指定された領域の位置を特定する領域情報を受信する領域情報受信手段と、
前記受信手段で受信した前記領域情報に対応する、予め設定された領域の領域情報がある場合に、当該予め設定された領域の領域識別情報を前記情報処理装置に送信する領域識別情報送信手段と、
前記情報処理装置から検索条件を受信する検索条件受信手段と、
前記検索条件受信手段で受信した検索条件に含まれる領域識別情報とデータに従って、前記帳票データを検索する帳票検索手段
として機能させることを特徴とするプログラム。
【請求項１３】
帳票データと検索領域となる帳票データに対して予め設定された領域の位置を特定する領域情報と領域を識別する領域識別情報とを管理するサーバと通信可能な、帳票データを表示する情報処理装置で実行可能なプログラムであって、
前記情報処理装置を、
ユーザによる操作に応じて、表示されている帳票データにおける検索領域とする領域を指定する領域指定手段と、
前記領域指定手段で指定された領域の位置を特定する領域情報に従って特定される、前記サーバから受信した当該領域情報に対応する前記予め設定された領域の領域識別情報と検索するキーとなるデータを、検索条件として設定する設定手段と、
前記設定手段で設定された領域識別情報とデータを含む検索条件に従って、前記帳票データを検索する帳票検索手段
として機能させることを特徴とする情報処理装置。